(57)【要約】【課題】分岐集塵機能を備えた局所集塵システムにおいて、ゴミ等を吸引除去することで発生する実際の負荷に応じた排気ブロワの駆動制御を行い、省エネを図ること。【解決手段】集塵装置に少なくとも一基のダストボックスを接続し、該ダストボックスに、少なくとも二つの開閉バルブを備え、該開閉バルブに可撓性の吸引ホースを接続可能にし、該吸引ホースを介して集塵を行う分岐集塵機能を備えた局所集塵システムであって、前記吸引ホースに、無線送信する送信部を備えた操作ボックスを設け、前記排気ブロワの駆動手段に、駆動側受信部を備えたインバーター駆動制御手段を設け、前記操作ボックスからの信号により、前記駆動手段の駆動出力を増減制御するよう構成した。【選択図】図２
2008000739.tif 000002
【特許請求の範囲】
【請求項１】
排気ブロワ１を駆動手段２によって稼動させる集塵装置３に少なくとも一基のダストボックス４を接続し、該ダストボックス４に、少なくとも二つの開閉バルブ５Ａ，５Ｂを備え、該開閉バルブ５Ａ，５Ｂに可撓性の吸引ホース６Ａを接続可能にし、該吸引ホース６Ａを介して集塵を行う分岐集塵機能を備えた局所集塵システムであって、
前記吸引ホース６Ａに、無線送信する送信部１２Ａを備えた操作ボックス７Ａを設け、前記排気ブロワ１の駆動手段２に、駆動側受信部１１を備えたインバーター駆動制御手段９を設け、前記操作ボックス７Ａからの信号により、前記駆動手段２の駆動出力を増減制御するよう構成したことを特徴とする分岐集塵機能を備えた局所集塵システム。
【請求項２】
前記ダストボックス４の前記開閉バルブ５Ａ，５Ｂに、バルブ側受信部１０Ａ，１０Ｂを備えた開閉駆動手段８Ａ，８Ｂを夫々設け、前記操作ボックス７Ａ，７Ｂからの無線信号により、前記開閉駆動手段８Ａ，８Ｂによる前記開閉バルブ５Ａ，５Ｂの開閉操作を行うように構成したことを特徴とする請求項１の分岐集塵機能を備えた局所集塵システム。
【請求項３】
排気ブロワ１を駆動手段２によって稼動させる集塵装置３に少なくとも一基のダストボックス４を接続し、該ダストボックス４に、少なくとも二つの開閉バルブ５Ａ，５Ｂを備え、該開閉バルブ５Ａ，５Ｂに可撓性の吸引ホース６Ａを接続可能にし、該吸引ホース６Ａを介して集塵を行う分岐集塵機能を備えた局所集塵システムであって、
前記ダストボックス４に操作ボックス７Ａを設け、前記排気ブロワ１の駆動手段２にインバーター駆動制御手段９を設け、前記操作ボックス７Ａと前記駆動制御手段９とが有線接続され、前記操作ボックス７Ａからの信号により、前記駆動手段２の駆動出力を増減制御するよう構成したことを特徴とする分岐集塵機能を備えた局所集塵システム。
【発明の詳細な説明】
【技術分野】
【０００１】  本発明は、鋳造工場等に設置される集塵装置とダストボックスからなる局所集塵を行うところの分岐集塵機能を備えた局所集塵システムに関する。
【背景技術】
【０００２】  鋳造工場等に設置される集塵装置とダストボックスからなる局所集塵を行うところの分岐集塵機能を備えた局所集塵システムとして、排気ブロワを駆動手段によって稼動させる集塵装置に、複数のダストボックスを接続し、該ダストボックスに、夫々複数の開閉バルブを介して、複数の可撓性の吸引を接続し、該吸引ホースを介して集塵を行うようにしたものが知られている。【０００３】  こうした局所集塵システムとしては、例えば、次のものが挙げられる。
【特許文献１】実開平０９−２５０。
【発明の開示】
【発明が解決しようとする課題】
【０００４】  上記の局所集塵システムにおいては、集塵装置の排気ブロワの駆動手段としては、通常電動モーターを用いるのが普通であり、こうした電動モーターは、通常、負荷変動にかかわらず、一定の出力で排気ブロワを駆動する運転をしていたものである。この為、複数の吸引ホースが同時に使用されていないのに、前記電動モーターが常に所定の電力を消費していることは、エネルギーの無駄であった。【０００５】  そこで、こうした問題を解消せんとして、吸引作業を行う者が、その手元において、電動モーターの出力制御を行うようにすればよいと考えたが、手元の吸引ホースに制御配線を備えるようにすると、これがフロアーを引きずられることで磨耗し、誤作動を来たすと共に早期にホースの取替えを必要とすることになり、現実的ではなかった。【０００６】  本発明は、分岐集塵機能を備えた局所集塵システムにおいて、ゴミ等を吸引除去することで発生する実際の負荷に応じた排気ブロワの駆動制御を行うことにより省エネを図ることを目的とする。
【課題を解決するための手段】
【０００７】  本発明にかかる分岐集塵機能を備えた局所集塵システムは、上記目的を達成するために、請求項１に記載の通り、
排気ブロワ１を駆動手段２によって稼動させる集塵装置３に少なくとも一基のダストボックス４を接続し、該ダストボックス４に、少なくとも二つの開閉バルブ５Ａ，５Ｂを備え、該開閉バルブ５Ａ，５Ｂに可撓性の吸引ホース６Ａを接続可能にし、該吸引ホース６Ａを介して集塵を行う分岐集塵機能を備えた局所集塵システムであって、
前記吸引ホース６Ａに、無線送信する送信部１２Ａを備えた操作ボックス７Ａを設け
前記排気ブロワ１の駆動手段２に、駆動側受信部１１を備えたインバーター駆動制御手段９を設け、
前記操作ボックス７Ａからの信号により、前記駆動手段２の駆動出力を増減制御するよう構成したことを特徴とする。【０００８】  又、本発明にかかる分岐集塵機能を備えた局所集塵システムは、上記目的を達成するために、請求項３に記載の通り、
排気ブロワ１を駆動手段２によって稼動させる集塵装置３に少なくとも一基のダストボックス４を接続し、該ダストボックス４に、少なくとも二つの開閉バルブ５Ａ，５Ｂを備え、該開閉バルブ５Ａ，５Ｂに可撓性の吸引ホース６Ａを接続可能にし、該吸引ホース６Ａを介して集塵を行う分岐集塵機能を備えた局所集塵システムであって、
前記ダストボックス４に操作ボックス７Ａを設け
前記排気ブロワ１の駆動手段２にインバーター駆動制御手段９を設け、
前記操作ボックス７Ａと前記駆動制御手段９とが有線接続され、
前記操作ボックス７Ａからの信号により、前記駆動手段２の駆動出力を増減制御するよう構成したことを特徴とする。
【発明の効果】
【０００９】  本発明にかかる請求項１の分岐集塵機能を備えた局所集塵システムによれば、前記吸引ホース６Ａに、無線送信する送信部１２Ａを備えた操作ボックス７Ａを設けることで、作業者がゴミ等の吸引作業行う現場から、その吸引ホース６Ａの操作ボックス７Ａを操作して、無線によって駆動側受信部１１に信号を送り、排気ブロワ１のインバーター駆動制御手段９を稼動させて、この吸引ホース６Ａが１本使用されているだけの場合に、例えば、その周波数を低く制御し、出力を低下させてエネルギーロスの無い状態で吸引作業を行うことができる。勿論、複数本の吸引ホースが使用される場合には、それらの操作ボックスが操作されて、その周波数を挙げて出力を増大させ、エネルギー効率のよい状態で有効に効率よく吸引作業を行うことができる。
そして、こうしたパワー制御が遠隔操作で行われることによって、作業現場において実際の吸引作業現場を離れて集塵装置（或いはダストボックス）の方に出向かなくても済むので、非常に便利である。【００１０】  本発明にかかる請求項２の分岐集塵機能を備えた局所集塵システムによれば、前記ダストボックス４に、操作ボックス７ａを設けて、該操作ボックス７ａとインバーター駆動制御手段９とを有線で接続しておくことで、作業者がゴミ等の吸引作業行う現場にある前記ダストボックス４から、その操作ボックス７ａを操作して、排気ブロワ１のインバーター駆動制御手段９を稼動させて、この吸引ホース６Ａが１本使用されているだけの場合に、例えば、その周波数を低く制御し、出力を低下させてエネルギーロスの無い状態で吸引作業を行うことができる。勿論、複数本の吸引ホースが使用される場合には、それらの操作ボックスが操作されて、その周波数を挙げて出力を増大させ、エネルギー効率のよい状態で有効に効率よく吸引作業を行うことができる。
そして、こうしたパワー制御が作業現場近くのダストボックスの位置において遠隔操作で行われることで、作業現場において実際の吸引作業現場を離れて集塵装置の方に出向かなくても済むこととなって、非常に便利である。
【発明を実施するための最良の形態】
【００１１】  本発明の請求項１の分岐集塵機能を備えた局所集塵システムの実施に際しては、請求項２に記載の通り、前記ダストボックス４の前記開閉バルブ５Ａ，５Ｂに、バルブ側受信部１０Ａ，１０Ｂを備えた開閉駆動手段８Ａ，８Ｂを夫々設け、前記操作ボックス７Ａ，７Ｂからの無線信号により、前記開閉駆動手段８Ａ，８Ｂによる前記開閉バルブ５Ａ，５Ｂの開閉操作を行うように構成するのが好ましい。【００１２】  このように、前記ダストボックス４の前記開閉バルブ５Ａ，５Ｂを、無線により開閉するよう構成すると、常時、吸引ホース６Ａ，６Ｂを前記ダストボックス４に接続させておいて、その操作ボックス７Ａの操作によって、前記ダストボックス４に対する連通状態と、インバーター駆動制御手段９の制御とを、作業者の手元で同時に行うことができて、非常に便利である。【００１３】  尚、本発明に言う操作ボックス７Ａとは、その形状がボックスであることを指しているのでなく（ボックスであっても、パネル状であっても良い）、無線で信号を発信できる操作機能を有するものであることを意味している。
前記請求項１及び３における開閉バルブ５Ａ，５Ｂとしては、ソケット形状（一部が枢着された開閉自在の蓋体が開口を覆う構造）が用いられ、ここに、吸引ホースのジャック端部が差し込まれる。【００１４】  また、請求項３における開閉バルブ５Ａ，５Ｂとしては、無線で開閉操作されるものであるので、電磁バルブ等（バタフライ）が用いられる。
更に、集塵装置３としては、バグフィルター型を用いているが、他の構成の集塵装置であってもよい。
また、ダストボックス４は、沈降方式（吸引流速の低下による）を用いているが、サイクロン方式等適宜の型のものが適用可能である。
【実施例１】
【００１５】  本発明にかかる分岐集塵機能を備えた局所集塵システムの好適実施例について、図１乃至図３を参照して以下詳述する。図１に示すのは、システムの全体の平面視であり、図２は、システムの側面視であり、図３は、集塵装置の側面図である。【００１６】  この分岐集塵機能を備えた局所集塵システムは、ルーツ型の排気ブロワ１をインバーター電動モーターからなる駆動手段２によって稼動させるバグフィルター型の集塵装置３に、２基のダストボックス４を、フロアーに定置敷設された可撓性ホース１３（ここでは２０メートルの長さをもつ）で接続し、該ダストボックス４に、二つの開閉バルブ５Ａ，５Ｂを備え、該開閉バルブ５Ａ，５Ｂに、前記可撓性ホース３よりも小径の可撓性の吸引ホース６Ａ，６Ｂを接続可能にし、該吸引ホース６Ａ，６Ｂを介して集塵を行うように構成されている。【００１７】  前記ルーツ型の排気ブロワ１としては、ここでは、風量９ｍ３／ｍｉｎ、静圧−５０ｋＰａのもので、駆動手段２の電動モーターは、１５Ｋｗ、６０Ｈｚ、２００Ｖのものを用いている。
また、バグフィルター型の集塵装置３は、ここでは、ろ過面積１０．５ｍ２のものである。【００１８】  そして、前記吸引ホース６Ａ，６Ｂに、無線送信する送信部１２Ａを備えた操作ボックス７Ａを設け、前記排気ブロワ１の駆動手段２に、駆動側受信部１１を備えたインバーター駆動制御手段９を設け、前記操作ボックス７Ａからの信号により、例えば、３０Ｈｚ、４０Ｈｚ、５０Ｈｚ、６０Ｈｚというように４本の吸引ホース６Ａ，６Ｂの使用状況に合わせて周波数を制御して前記駆動手段２の駆動出力（回転数）を段階的に増減制御するよう構成してある。【００１９】  この送信部１２Ａ、駆動側受信部１１は、それ自体公知の無線信号（例えば、２７ＭＨｚ）を送受信するもので、ここでは、回路構成等の説明を省略する。尚、光送信（紫外線、赤外線）手段を用いてもよい。
また、操作ボックス７Ａは、簡単なＯＮ／ＯＦＦスイッチを備えているもので、使用にさいてＯＮ操作を行うことで、所定の信号を駆動側受信部１１に送信することなる。【００２０】  また、前記ダストボックス４の前記開閉バルブ５Ａ，５Ｂに、バルブ側受信部１０Ａ，１０Ｂを備えた開閉駆動手段８Ａ，８Ｂを夫々設け、前記操作ボックス７Ａ，７Ｂからの無線信号により、前記開閉駆動手段８Ａ，８Ｂによる前記開閉バルブ５Ａ，５Ｂの開閉操作を行うように構成してある。
この開閉バルブ５Ａ，５Ｂ自体は、バルブ側受信部１０Ａ，１０Ｂからの信号を受けて作動する電磁式の開閉駆動手段８Ａ，８Ｂを作動させるもので、それ自体公知の構成のものである。【００２１】  更に、前記ダストボックス４の下部には、２基の自動バタフライ弁１４、１４が設けられ、下部に溜まった粗大ゴミ等を下方に排出することができるように構成されている。
また、吸引ホース６Ａ，６Ｂは、ここでは、７〜８ｍの長さのもので、その先端は、吸引パイプ１５に接続されている。
尚、便宜上、図１において、一方のダストボックス４のみ吸引ホース６Ａ，６Ｂを接続した状態を示しているが、実際には、両ダストボックス４に夫々２本の吸引ホース６Ａ，６Ｂが接続されている。
また、吸引ホース６Ａ，６Ｂの接続を、電磁式の開閉バルブ５Ａ，５Ｂとしない場合、即ち、開閉蓋に対する単純な差込方式のバルブである場合には、１本の吸引ホース６Ａを順次、抜き差しして用いることになる。【００２２】  従って、集塵作業に際しては、現場において、作業者が手元で操作ボックス７ＡでＯＮ操作することで、１本の吸引ホース６Ａが使用されている状態として、インバーター制御として周波数が３０Ｈｚに制御されて、駆動手段２の回転数が低下し（元が６０Ｈｚであった場合には半分）、ミニマムの出力で排気ブロワ１の駆動手段２が駆動されることなる。
尚、集塵作業時のみ駆動手段２が稼動されてもよいし、集塵が行われていない通常時にはミニマムの出力でアイドリング運転されるように設定していてもよい。
【実施例２】
【００２３】  ここでは、実施例１における無線通信手段を用いないで排気ブロワ１の駆動手段２の出力を制御する。
図４に基づいて説明すると、電動モーターの駆動手段２で駆動される集塵装置３に少なくとも一基のダストボックス４を接続し、該ダストボックス４に、少なくとも二つの開閉バルブ５Ａ，５Ｂを備え、該開閉バルブ５Ａ，５Ｂに可撓性の吸引ホース６Ａを接続可能にし、該吸引ホース６Ａを介して集塵を行うように構成されている。ここでの開閉バルブ５Ａ，５Ｂは、開閉蓋への吸引ホース６Ａの差し込み方式で接続される構造のものである。この基本構成は実施例１と同じであり、重複部分の説明は省略する。【００２４】  前記ダストボックス４に操作ボックス７ａを設け、前記排気ブロワ１の駆動手段２にインバーター駆動制御手段９を設け、前記操作ボックス７Ａと前記駆動制御手段９とが、可撓性ホース３に沿わせた状態で有線接続１５され、前記操作ボックス７ａからの信号により、前記駆動手段２の駆動出力を増減制御するよう構成してある。【００２５】  この構成によれば、集塵作業に際しては、作業者がダストボックス４のところに来て、操作ボックス７ＡをＯＮ操作し、前記駆動制御手段９を制御して、前記排気ブロワ１の駆動手段２の出力を下げた状態で運転を行うことになる。
【産業上の利用可能性】
【００２６】  本発明にかかる分岐集塵機能を備えた局所集塵システムによれば、工場内の局所集塵として、メインの集塵装置を、常時定出力運転するのではなく、実際の吸引ホース６Ａの使用本数に合わせた状態で運転できて、省エネ化を図ることができるものであるので、局所集塵が求められる種々の工場において実施可能であり、広い適用範囲のものである。
【図面の簡単な説明】
【００２７】
【図１】本発明に係る分岐集塵機能を備えた局所集塵システムを示す全体の平面図。
【図２】本発明に係る分岐集塵機能を備えた局所集塵システムを示す全体の側面図。
【図３】本発明に係る分岐集塵機能を備えた局所集塵システムの集塵装置を示す正面図。
【図４】本発明に係る分岐集塵機能を備えた局所集塵システムの別実施例を示す全体の側面図。
【符号の説明】
【００２８】１：排気ブロワ
２：駆動手段
３：集塵装置
４：ダストボックス
５Ａ，５Ｂ：開閉バルブ
６Ａ，６Ｂ：吸引ホース
１２：送信部
７Ａ，７Ｂ：操作ボックス
８Ａ，８Ｂ：開閉駆動手段
９：インバーター駆動制御手段
１０Ａ，１０Ｂ：バルブ側受信部
【図１】
2008000739.tif 000003
【図２】
2008000739.tif 000004
【図３】
2008000739.tif 000005
【図４】
2008000739.tif 000006